(57)【要約】      （修正有）【課題】内容物を取り出す開口部及び上容器本体と下容器本体の嵌合構成を改良して気密性の高いカード状の振出容器を得ること【解決手段】上容器部材１０と下容器部材３０とを、上容器部材１０及び下容器部材３０の外周縁に連続状に突設された係合用突条１１の係合によって組み立ててなる気密性カード状振り出し容器であって、上容器部材１０の略門型形状の摺り合わせ部材１４及び下容器部材３０の下容器摺り合わせ部材３３で形成される開口部４０の内側にヒンジキャップ５０のロ字状の摺り合わせ用壁部材１４の外側面が摺り合わされることにより、ヒンジキャップ５０の閉時に、ヒンジキャップ５０のロ字状の摺り合わせ用壁部材１４の外側端部の高さの下方の略１／２が下容器摺り合わせ部材３３に、上方の略１／２が上容器部材１０の前記略門型形状の摺り合わせ部材１４にそれぞれ摺り合わされることで前記開口部４０をヒンジキャップ５０により密閉される。【選択図】図７
2011131939.tif 000002
【特許請求の範囲】
【請求項１】
薄いトレイ状の上容器部材と下容器部材とを、これら上容器部材及び下容器部材の外周縁に連続状に突設された係合用突条の係合によって組み立ててなる気密性カード状振り出し容器であって、
前記上容器部材のコーナー部を除く両側壁部及び略門型形状の摺り合わせ部材により上容器部材の切欠部を設け、前記下容器部材の側壁部に上容器部材の切欠部に対応するように、係合用突条を有する平面視Ｌ字状にして左右対称に設けた下容器摺り合わせ部材により下容器部材の切欠部を設け、
前記上容器部材の略門型形状の摺り合わせ部材と前記下容器摺り合わせ部材により開口部を設けて
前記下容器部材の切欠部にはヒンジ部を介してヒンジキャップを設け、前記ヒンジキャップの内部にロ字状でヒンジキャップの垂直高さより高く設定された摺り合わせ用壁部材を設け、
前記上容器部材の略門型形状の摺り合わせ部材及び前記下容器部材の平面視Ｌ字状にして左右対称に設けた下容器摺り合わせ部材で形成される開口部の内側に前記ヒンジキャップのロ字状の摺り合わせ用壁部材の外側面が摺り合わされることにより、前記ヒンジキャップの閉時に、前記ヒンジキャップのロ字状の摺り合わせ用壁部材の外側端部の高さの下方の略１／２が前記下容器摺り合わせ部材に、上方の略１／２が上容器部材の前記略門型形状の摺り合わせ部材にそれぞれ摺り合わされることで前記開口部をヒンジキャップにより密閉されたことを特徴とする気密性カ−ド状振り出し容器。
【請求項２】
前記ヒンジキャップの左右側壁部外面には係止用突起が立設され、前記上容器部材の左右側壁部に設けられた係止用突起に係合して係合動作を図ることで密閉性を高めたことを特徴とする請求項１記載の気密性カ−ド状振り出し容器。
【請求項３】
前記ヒンジキャップは、外周が円弧状であり、上容器部材と下容器部材とが組み立てられてできたカード状振り出し容器の側壁部と略同じ外観となるようにした請求項１記載の気密性カ−ド状振り出し容器。
【発明の詳細な説明】
【技術分野】
【０００１】
本発明は清涼用粒状物等を入れて小出し使用する密封性を向上させたカード状振り出し容器に関するものである。
【背景技術】
【０００２】
清涼用粒状物等を入れて小出し使用するための振り出し容器としては、例えば、特開平９−３１５４６８号公報に開示されているように、底部材と蓋部材とを内周側に突設させた複数のボスの凹凸嵌合によって組み立ててなるカードケースにおいて、底部材のコーナー部を除く側壁部の一部を該底部材と一体のヒンジキャップとし、該ヒンジキャップの両側面に設けた突起を底部材に設けた嵌合部に開閉自在に嵌合させたヒンジキャップ付きカードケースが従来から知られている。
【先行技術文献】
【特許文献】
【０００３】
【特許文献１】特開平９−３１５４６８号公報
【発明の概要】
【発明が解決しようとする課題】
【０００４】
しかしながら、底部材と一体のヒンジキャップを該ヒンジキャップの両側面に設けた突起を底部材に設けた嵌合部に開閉自在に嵌合させる構成では、金型構造に起因して嵌合部等に隙間が生じ、内容物が湿気やすいもの、例えば柑橘系の清涼錠菓等の内容物の振り出し容器として密閉性に劣っている。本発明は上記問題点に鑑みてなされたものであって、内容物を取り出す開口部及び上容器と下容器の嵌合構成を改良して密封性を高めるカード状振り出し容器を得ることを目的とするものである。
【課題を解決するための手段】
【０００５】
本発明は、以上のような課題を解決するため、次のような気密性カード状振り出し容器を提供するものである。すなわち、薄いトレイ状の上容器部材と下容器部材とを、これら上容器部材及び下容器部材の外周縁に連続状に突設された係合用突条の係合によって組み立ててなる気密性カード状振り出し容器であって、
上容器部材のコーナー部を除く両側壁部及び略門型形状の摺り合わせ部材により上容器部材の切欠部を設け、下容器部材の側壁部に上容器部材の切欠部に対応するように、係合用突条を有する平面視Ｌ字状にして左右対称に設けた下容器摺り合わせ部材により下容器部材の切欠部を設け、
上容器部材の略門型形状の摺り合わせ部材と下容器摺り合わせ部材により開口部を設けて
下容器部材の切欠部にはヒンジ部を介してヒンジキャップを設け、ヒンジキャップの内部にロ字状でヒンジキャップの垂直高さより高く設定された摺り合わせ用壁部材を設け、
上容器部材の略門型形状の摺り合わせ部材及び下容器部材の平面視Ｌ字状にして左右対称に設けた下容器摺り合わせ部材で形成される開口部の内側にヒンジキャップのロ字状の摺り合わせ用壁部材の外側面が摺り合わされることにより、ヒンジキャップの閉時に、ヒンジキャップのロ字状の摺り合わせ用壁部材の外側端部の高さの下方の略１／２が下容器摺り合わせ部材に、上方の略１／２が上容器部材の略門型形状の摺り合わせ部材にそれぞれ摺り合わされることで開口部をヒンジキャップにより密閉される。
更に、ヒンジキャップの左右側壁部外面には係止用突起が立設され、上容器部材の左右側壁部に設けられた係止用突起に係合して係合動作を図ることで密閉性を高めたものである。
更に、ヒンジキャップは、外周が円弧状であり、上容器部材と下容器部材とが組み立てられてできたカード状振り出し容器の側壁部と略同じ外観となるようにすると、全体的な見栄えが良い。
【発明の効果】
【０００６】
以上のように、本発明の請求項１のものによれば、薄いトレイ状の上容器部材と下容器部材とを、これら上容器部材及び下容器部材の外周縁に連続状に突設された係合用突条の係合によって組み立ててなるので、上容器部材と下容器部材の両者の端縁係合部には隙間がなくなり、容器本体の密閉性を高めることが可能になった。
即ち上容器部材のコーナー部を除く両側壁部及び略門型形状の摺り合わせ部材により上容器部材の切欠部を設け、下容器部材の側壁部に上容器部材の切欠部に対応するように、係合用突条を有する平面視Ｌ字状にして左右対称に設けた下容器摺り合わせ部材により下容器部材の切欠部を設け、上容器部材の略門型形状の摺り合わせ部材と下容器摺り合わせ部材により開口部を設けて、下容器部材の切欠部にはヒンジ部を介してヒンジキャップを設け、ヒンジキャップの内部にロ字状でヒンジキャップの垂直高さより高く設定された摺り合わせ用壁部材を設け、
上容器部材の略門型形状の摺り合わせ部材及び下容器部材の平面視Ｌ字状にして左右対称に設けた下容器摺り合わせ部材で形成される開口部の内側にヒンジキャップのロ字状の摺り合わせ用壁部材の外側面が摺り合わされることにより、ヒンジキャップの閉時に、ヒンジキャップのロ字状の摺り合わせ用壁部材の外側端部の高さの下方の略１／２が下容器摺り合わせ部材に、上方の略１／２が上容器部材の略門型形状の摺り合わせ部材にそれぞれ摺り合わされることで開口部をヒンジキャップにより密閉されるので、上容器部材と下容器部材の密閉が均等になされ、密閉性を安定的に保持できる。
更に請求項２では、ヒンジキャップの左右側壁部外面には係止用突起が立設され、上容器部材の左右側壁部に設けられた係止用突起に係合して係合動作を図ることで、ヒンジキャップの定着位置を確実に保持することができる。
又請求項３は、ヒンジキャップは、外周が円弧状であり、上容器部材と下容器部材とが組み立てられてできたカード状振り出し容器の側壁部と略同じ外観となるようにしたので、ヒンジキャップ部分が突出することがない。
【図面の簡単な説明】
【０００７】
【図１】本発明の実施例を示す全体斜視図
【図２】同じくＸ−Ｘ断面図
【図３】同じくＹ−Ｙ断面図
【図４】同じくＸ−Ｘ断面図の右側拡大図
【図５】同じくＹ−Ｙ断面図の左側拡大図
【図６】同じくヒンジキャップを開いた左側拡大図
【図７】同じく上容器部材、下容器部材及びヒンジキャップの分解拡大斜視図
【発明を実施するための形態】
【０００８】
以下、本発明の実施の形態を図面に基づいて説明する。図１は本発明の実施例を示す全体斜視図、図２は同じくＸ−Ｘ断面図、図３は同じくＹ−Ｙ断面図、図４はＸ−Ｘ断面図の右側拡大図、図５は同じくＹ−Ｙ断面図の左側拡大図、図６は同じくヒンジキャップを開いた拡大断面図である。
【０００９】
まず、最初に、図１乃至図３を基に本発明の実施例を説明する。この図１乃至図３で示すように、本発明の気密性カード状振り出し容器（Ａ）は矩形の薄いトレイ状の上容器部材（１０）と、略同形の下容器部材（３０）とを組み立ててなるものであって、その下容器部材（３０）のコーナー部を除く側壁部（３１）の一部には、下容器部材（３０）と一体なヒンジキャップ（５０）が、薄肉の折り曲げ自在なヒンジ部（５１）を介して形成されている。これら上容器部材（１０）、下容器部材（３０）及びヒンジキャップ（５０）は、ポリプロピレン、ポリエチレン、ポリスチレン等の熱可塑性樹脂を用いて所定形状に成形することにより得ることができる。可動蓋の一例として図示するヒンジキャップ（５０）は、図１において振り出し容器の長辺側の側壁部に設けられている。
【００１０】
上容器部材（１０）と下容器部材（３０）には、図４乃至図７に示すように、前記各部材（１０）及び（３０）のほぼ外周縁にわたってそれぞれ係合用突条（１１）（３２）が連続して設けられており、これらの各々の係合用突条（１１）（３２）の係合によってカード状振り出し容器（Ａ）が組み立てられる。図に示した係合用突条（１１）は凸状部を、（３２）は凹状部を各々備えた例であるが、この形状に限定されるものではない。なお、必要に応じて前記係合用突条（１１）及び（３２）と併用してボスとピンを設けることにより、さらに容器の内容物充填時の組立性及び係合性が向上する。
【００１１】
このような係合構成により、従来のボスとピンとの嵌合とは異なり、容器が組み立てられた状態で上容器部材（１０）と下容器部材（３０）の両者の端縁係合部に隙間を無くし、密閉性を高めることが可能になった。なお、上容器部材（１０）及び下容器部材（３０）に連続して設けられた係合用突条（１１）及び（３２）に直交して補強用リブ（図示せず）を適宜間隔で複数設けることにより、振り出し容器の変形が確実に防止され、密閉性がより高まるものである。
【００１２】
本発明の実施例を図５乃至図７を基に説明する。
図７は上容器部材、下容器部材及びヒンジキャップ部材の分解拡大斜視図である。上容器部材（１０）の側壁部（１３）は、ヒンジキャップ部分を除いて、内面、外面共に断面略四半円をなす円弧状とされている。上容器部材（１０）におけるヒンジキャップ部分には平面視で凹型に切り欠けられ、その先端部は正面視で上容器部材（１０）の上面から連続する段下げ鍔部（１６）が形成され、段違い状の略門型形状の摺り合わせ部材（１４）を構成している。また、切欠部（１２）の両側壁部（１３ａ）（１３ａ）の略中央には係止用突起（１５）（１５）が垂直状に立設されている（図７（イ）参照）。
【００１３】
下容器部材（３０）に薄肉の折り曲げ自在なヒンジ部（５１）を介して形成されているヒンジキャップ（５０）は、内周、外周共に断面略半円をなす円弧状とされ、上容器部材（１０）と下容器部材（３０）とが組み立てられてできたカード状振り出し容器の側壁部略同じ外観となるようになっている。そして、下容器部材（３０）の側壁部（３１）の切欠部に平面視で左右対称にＬ字型の下容器摺り合わせ部材（３３）（３３）が係合用突条（３２）を連続して設けた前記側壁部（３１）から延設されて一体に成型されている。
【００１４】
ヒンジキャップ（５０）の左右側壁部（５２）（５２）外面には係止用突起（５３）（５３）が立設され、ヒンジキャップ（５０）が閉時に前記上容器部材（１０）の左右側壁部（１３ａ）（１３ａ）に設けられた係止用突起（１５）（１５）に係合して係合動作を図るように構成されている。また、ヒンジキャップ（５０）の内部にはロ字状の摺り合わせ用壁部材（５５）がヒンジキャップ（５０）の垂直高さより高く設定され、一体に形成されている。（５４）は振り出し容器の指掛け部である（図７（ロ）参照）。
【００１５】
このような構成により、ヒンジキャップ（５０）の閉時に、ヒンジキャップ（５０）の内部に一体に設けられたロ字状の摺り合わせ用壁部材（５５）の外側端部の高さの略１／２が下容器摺り合わせ部材（３３）に、他の略１／２が上容器の摺り合わせ部材（１４）にそれぞれ摺り合わされる。また、ロ字状の摺り合わせ用壁部材（５５）の上側片（５５ａ）は上容器部材（１０）に設けられた段下げ鍔部（１６）の裏面（１６ａ）に摺り合わされると共に下側辺（５５ｂ）は下容器摺り合わせ部材（３３）の基部（３３ａ）に摺り合わされるので、開口部（４０）が水平、垂直両方向に密閉され、上容器部材（１０）及び下容器部材（３０）の略全周縁に設けられた各々の係合用突条の係合と相まってカード状振り出し容器及びその開口部の気密性が得られた。
【００１６】
上記実施例の説明において、振り出し容器の形状を矩形状の例で説明したが、この形状に限定されるものではなく、多角形状にも適用でき、また、開口部、可動蓋、或いは摺り合わせ用壁部材等は上容器部材或いは下容器部材の何れに設けてもよく、さらに可動蓋は側壁の長辺、短辺の何れに設けてもよく、適宜設計変更可能なものである。
【００１７】
以上に述べたように、本発明は、カード状振り出し容器であって、上容器部材と下容器部材の各部材のほぼ外周縁に係合用突条を設けて両者を係合させるように構成したので、従来のようにボスとピンとの嵌合とは異なり、両者の端縁係合部に隙間を無くし、容器全体の密閉性を高めることができ、外気の影響を受けることが非常に少ない振り出し容器を得られた。また、上容器部材または下容器部材の少なくとも何れか一方に開口部を、他方に可動蓋を設けて一体成形したので、部品点数が少なく、低コストで組み立て性に優れた振り出し容器が得られる。また、前記上容器部材または下容器部材に設けられた開口部または可動蓋の何れか一方に開口部を密閉する摺り合わせ用壁部材を設けたので、開口部または可動蓋の周縁の何れかに摺り合わされ、面接触するので確実に密閉され、開口部の気密性が高く保持され、しかも上容器と下容器の隙間のない嵌合構成と相まって気密性のカード状振り出し容器が得られた。さらに、容器の形状、或いは容器の部位を問わず開口部、可動蓋、摺り合わせ用壁部材等を適宜設けることができるので、内容物や求められる使用形態に合わせて随時設計可能である。このようにして得られた気密性の振り出し容器は、水蒸気バリア性を向上させ、湿気やすい内容物にも対応可能となり、特に柑橘系の清涼錠菓等を収納することで、内容物の長期間の保存にも耐え、商品価値の高いカード状振り出し容器として市場に供給されるものである。
【符号の説明】
【００１８】
Ａ カードケース
１０ 上容器部材
１１ 係合用突条
１２ 切欠部
１３ 側壁部
１４ 摺り合わせ用壁部材
１６ 段下げ鍔部
３０ 下容器部材
３１ 側壁部
３２ 係合用突条
３３ 下容器摺り合わせ部材
４０ 開口部
５０ 可動蓋（ヒンジキャップ）
５１ ヒンジ部
５２ 左右側壁部
５５ 摺り合わせ用壁部材
【図１】
2011131939.tif 000003
【図２】
2011131939.tif 000004
【図３】
2011131939.tif 000005
【図４】
2011131939.tif 000006
【図５】
2011131939.tif 000007
【図６】
2011131939.tif 000008
【図７】
2011131939.tif 000009